(57)【特許請求の範囲】
【請求項１】
凸曲面が形成された本体を備えたマッサージ装置であって、
前記本体の前記凸曲面の一部には、可撓性のシート材で覆われた２つの振動プレートが配設され、
前記本体の内部には、
振動発生機構と、
前記振動発生機構にて発生させた振動を、前記振動プレートに伝達する振動伝達手段とを備え、
前記振動発生機構にて発生させた振動で、前記振動プレートを振動させ、当該振動発生機構は、外部から供給される電力によって、駆動軸を出没駆動するソレノイドを２組備え、前記２組のソレノイドの駆動軸の延長線が、前記凸曲面の表面から外部へ１センチ以上２０センチ以下の点で交差するように配設されている
ことを特徴とするマッサージ装置。
【請求項２】
前記振動伝達手段は、
前記ソレノイドの駆動軸の延長端と、前記振動プレートの裏面との間には隙間が形成されており、前記ソレノイドの駆動軸が出没駆動されることにより前記延長端が、前記振動プレートの裏面を打撃することによって、前記振動プレートを振動させるように構成されていることを特徴とする請求項１記載のマッサージ装置。
【請求項３】
前記本体は円柱状に形成されていることを特徴とする請求項１または２記載のマッサージ装置。
【請求項４】
前記円柱状の前記本体を載置し得る平板状のクッション部材が付加されてなることを特徴とする請求項３記載のマッサージ装置。
【発明の詳細な説明】
【技術分野】
【０００１】
本発明は、身体の各部のマッサージに使用することのできるマッサージ装置に関するものである。
【背景技術】
【０００２】
従来より、身体の各部のマッサージ用のマッサージ装置の外観は、ローラや突起やベルトなどが露出したものが多く、室内に置いておくと見栄えが良くないという問題があった。
また、前記ローラや突起を薄いカバーで覆ったものもあるが、カバーの中のローラや突起の存在が分かりやすいため、他人が見たとき、いかにもマッサージ装置を使っているというように感じられやすく、見栄えも良くないという問題があった。
【先行技術文献】
【特許文献】
【０００３】
【特許文献１】特開２００５−１５２２９３号公報
【発明の概要】
【発明が解決しようとする課題】
【０００４】
特許文献１に開示されたソファー型のマッサージ装置では、ソファーの座面や背面に振動部を備えている。特許文献１のソファー型のマッサージ装置は、従来のマッサージ装置らしくない外形をしているので、室内に置いても見栄えが悪くはない。
しかし、ソファー型であって大形の装置であるため、移動が容易ではなく、別の部屋で使用したい場合やベッドの上等でマッサージをしたい場合には対応できないという問題があった。
本発明は、室内に置いた状態でも、マッサージ装置らしくない外形を備えるとともに持ち運びが容易であって種々の使用形態が可能であり、しかも使用する際には、身体の内部の器官や組織に効果的な振動を与えることのできるマッサージ装置を提供することを目的としてなされたものである。
【課題を解決するための手段】
【０００５】
請求項１にかかるマッサージ装置は、凸曲面が形成された本体を備えたマッサージ装置であって、前記本体の前記凸曲面の一部には、可撓性のシート材で覆われた２つの振動プレートが配設され、前記本体の内部には、振動発生機構と、前記振動発生機構にて発生させた振動を、前記振動プレートに伝達する振動伝達手段とを備え、前記振動発生機構にて発生させた振動で、前記振動プレートを振動させ、当該振動発生機構は、外部から供給される電力によって、駆動軸を出没駆動するソレノイドを２組備え、前記２組のソレノイドの駆動軸の延長線が、前記凸曲面の表面から外部へ１センチ以上２０センチ以下の点で交差するように配設されていることを特徴としている。
請求項２では、前記振動伝達手段は、前記ソレノイドの駆動軸の延長端と、前記振動プレートの裏面との間には隙間が形成されており、前記ソレノイドの駆動軸が出没駆動されることにより前記延長端が、前記振動プレートの裏面を打撃することによって、前記振動プレートを振動させるように構成されている。
請求項３では、前記本体は円柱状に形成されている。
請求項４では、前記円柱状の前記本体を載置し得る平板状のクッション部材が付加されている。
【発明の効果】
【０００６】
本発明に係るマッサージ装置によれば、
本体に形成された凸曲面の一部には２つの振動プレートが配設され、振動発生機構にて発生させた振動を、前記振動プレートに伝達するように構成されているので、前記振動プレートが振動し、前記振動プレートに接触させた身体から身体の内部へ振動が効果的に伝達される。
【０００７】
また、前記振動発生機構は、外部から供給される電力によって駆動軸を出没駆動するソレノイドを２組備え、前記２組のソレノイドの駆動軸の延長線が、前記凸曲面の表面から外部へ１センチ以上２０センチ以下の点で交差するように配設されているので、前記振動プレートに直接もしくは間接的に接触させた身体から身体の内部の器官や組織に振動が効果的に伝達される。
【０００８】
また、前記ソレノイドの駆動軸の延長端と、前記振動プレートの裏面との間には隙間が形成されており、前記ソレノイドの駆動軸が出没駆動されることにより前記延長端が、前記振動プレートの裏面を打撃することによって、前記振動プレートを振動させるように構成されているので、前記ソレノイドの振動周波数とともに、打撃によって発生した高調波振動も身体に伝達され、効果的なマッサージ効果と健康促進効果が期待できる。
また、円柱状の前記本体を載置し得る平板状のクッション部材が付加されているので、持ち運びが容易であるとともに種々の使用形態が可能となる。
【図面の簡単な説明】
【０００９】
【図１】本発明に係るマッサージ装置の本体とクッション部の斜視図である。
【図２】前記マッサージ装置の全体の斜視図である。
【図３】前記マッサージ装置の平面図である。
【図４】前記マッサージ装置の側面図である。
【図５】前記マッサージ装置の本体筐体の平面図である。
【図６】前記本体筐体の側面図である。
【図７】前記マッサージ装置の振動プレートの斜視図である。
【発明を実施するための形態】
【００１０】
以下に、本発明に係るマッサージ装置を、図面を参照して詳細に説明する。
図１〜３に示したように、マッサージ装置１は、クッション部２と本体３とコントローラ４と電源部５から構成されている。
クッション部２は、円板状の弾性素材で構成されており、中央部には、前記本体３を嵌め込むための凹部２１が形成されている。
【００１１】
本体３には、前記コントローラ４と電源部５が接続されており、前記本体３の表面は非通水性の可撓性シート３１で覆われている。
本体３の内部には、図４に示したように、２つの電磁ソレノイド３２が配設さ、前記２つの電磁ソレノイド３２の出没軸は、斜めに配設されており、それらの軸の延長線は、前記本体３の表面から高さHの位置で交差するように設定されている。なお、前記交点の高さＨは、約１センチ以上２０センチ以下が好ましい。１センチ未満もしくは２０センチ以上では身体の内部に振動を効果的に与えにくい。
【００１２】
図４に示したように前記出没軸の先端には２枚の振動プレート３４が配設され、この振動プレート３４の裏面を、前記出没軸の先端が打撃することによって、前記振動プレート３４が振動するように構成されている。
前記振動プレート３４は、前記本体３の筐体の上面に設けられた開口部３５（図５、６参照。）に配設されている。なお、前記振動プレート３４は、図７に示したように、前記本体３の表面の曲面に合わせた曲面を備えており、前記被覆シートの裏面に接着されている。
振動プレート３４の裏面と出没軸３３の先端との間には隙間D（図４参照。）が形成されており、出没軸３３と振動プレート３４とは連結されていない。
以上の構造により、振動プレート３４は、所定の設定振動数で出没駆動される出没軸３３によって打撃されて振動するので、前記設定振動数から派生する高調波を含んだ振動数で振動することになる。したがって、使用者の体内に、高調波を含んだ効果的な振動を与えることができる。
【００１３】
また、前記出没軸３３は、その延長線の交点が本体３の表面から高さＨの位置になるように傾斜させて配設されているので、図４に示したように、本体３の表面から離れた位置にある使用者（破線で示した。）の体内の器官もしくは組織に効果的な振動を与えることができる。
【００１４】
次に、本発明に係るマッサージ装置１の使用方法を、図３、４を参照して説明する。
１つの使用方法は、座って使用する方法である。
例えば、椅子の座面もしくは床面等に前記クッション部２と本体３を載置する。本体３は、図３、４に示したように、クッション部２の中央部に形成された凹部２１に嵌め込んでおく。
そして、前記本体３を両足の股間に挟んでまたがる状態で座る。
この状態では、前記本体３の下半分は、前記クッション部２の凹部２１に嵌まっているので、クッション部２からは約半分の高さだけが出ている状態となるので、座ったときの股間への当接状態が適切となる。
【００１５】
この状態で、前記コントローラを操作して振動を開始させる。振動パターンや振動強度は種々の設定に変更することが可能である。
このように使用すると、
ソレノイドによって所定の周波数で出没駆動される出没軸３３の先端が、前記振動プレート３４の裏面を打撃することによって、前記振動プレート３４を振動させる。この振動は被覆シートを介して、図４に破線で示した使用者の身体の下半身、特に下腹部に伝達されるこの振動によって下腹部の体内の組織や器官が振動することにより運動状態になるので、下腹部が温まって気持ちよくなる。
そして、このような振動による作用効果によって、身体の内部から健康促進効果が得られることが期待できる。
【００１６】
別の使用方法は、前記クッション部２から取り外した本体３をベッド等で横になって使用する方法である。
例えば、ベッドに横になって本体３のみを両足の股間に挟む。
この状態で、前記コントローラを操作して振動を開始させる。
このように使用すると、股間に挟んだ本体３による振動が、身体の下半身、特に下腹部に与えられる。与えられた振動が伝わって、下腹部の体内の組織や器官が振動することにより運動状態になるので、下腹部が温まって気持ちよくなる。
このような振動による作用効果によって、身体の内部から健康促進効果が得られることが期待できる。
【００１７】
さらに別の使用方法は、身体の他の部位のマッサージに使用する方法である。
例えば、仰向けに横になった状態で、枕の代わりに本体３に首を乗せて振動させることにより、首のマッサージも可能である。
その他、足のふくらはぎや、足の裏等の各部のマッサージにも使用できる。
【００１８】
なお、前記本体の形状としては、円柱状に限定されるものではなく、半円柱状や凸面を備えた形状が好ましい。
また、電源は、外部の商用電源から供給されるように構成したが、バッテリーを内蔵したり、自動車の内蔵電源から供給されるように構成することもできる。
【符号の説明】
【００１９】
１  マッサージ装置
２  クッション部
２１  凹部
３  本体
３１  可撓性シート
３２  電磁ソレノイド
３３  出没軸
３４  振動プレート
３５  開口部
４  コントローラ
５  電源部
D  隙間
【図１】
0005591885.tif 000002
【図２】
0005591885.tif 000003
【図３】
0005591885.tif 000004
【図４】
0005591885.tif 000005
【図５】
0005591885.tif 000006
【図６】
0005591885.tif 000007
【図７】
0005591885.tif 000008